(57)【要約】【課題】座椅子の背もたれの調整及び位置決め構造を提供する。【解決手段】本発明に係る座椅子の背もたれの調整及び位置決め構造は、座椅子の座枠と背もたれ枠との境界部分に沿って後傾き調整ユニットの組み立てを許容するものが採用されており、前記後傾き調整ユニットは、操作ノブの所定の方向への捻転により、一端が内向きに延在しているボルト段の後側部分と結合する拘止体を内に移動させ／または外に押し出すように促し、拘止体と支承体との間に嵌合するバネを、所定の対抗間隔を得て圧縮／または外拡させるように制御し、背もたれには、必要の比較的な緊締状態／または比較的な弛緩状態を有する設置が応用される。【選択図】図１
2017176797.tif 000002
【特許請求の範囲】
【請求項１】
座椅子の背もたれの調整及び位置決め構造であって、
座椅子の一側に組み立てられる背もたれに対して行われる比較的な弛緩／または比較的な緊締度の調整としては、前記座椅子の座枠と背もたれ枠との境界部分に沿って後傾き調整ユニットの組み立てを許容するものが採用されており、  前記後傾き調整ユニットは、内向きに１節のボルト段が延在している操作ノブと、前記背もたれの弾性力を制御するバネと、前記バネを内外変位可能に受承する拘止体と、前記座枠に向かう対応部分を突当てとしている支承体とを含んで構成され、
前記操作ノブの一端から延出する前記ボルト段は、第１ワッシャに嵌挿した後、パイプ段が装着される前記背もたれ枠の１節の支承部分の間に案内されることを許容すると共に、突出延在する前記ボルト段は、第２ワッシャの嵌挿を受け入れ、及び第１ナットに螺入されることで、前記操作ノブを前記背もたれ枠の前記１節の支承部分に制限させ、また前記背もたれ枠の内側から突出延在する１節の前記ボルト段は、第２ナットと結合する前記拘止体に案内され、前記拘止体は、前記操作ノブの捻転を受けて前記ボルト段に沿って所定の内外変位を行い、
前記拘止体に隣接する内向側面は、前記バネの載置を許容し、及び前記バネの他端は、前記座枠の一側に押当てる前記支承体の凹設区域での制限を許容し、及び前記バネの可動範囲に介在する範囲は、少なく１セット／またはそれ以上の遮蔽組付体の組み立てを許容し、
前記背もたれの緩緊度の調整としては、前記後傾き調整ユニットの前記操作ノブを捻転することにより、所定の方向に回転させて、内向きに延在している前記ボルト段の後側部分と結合する拘止体を内に移動させ／または外に押し出すように促し、前記拘止体と前記支承体との間に嵌合する前記バネを、所定の対抗間隔を得て圧縮させ／または外拡させるように制御することで、前記背もたれには、必要の比較的な緊締状態／または比較的な弛緩状態を有する設置が応用されることを特徴とする、座椅子の背もたれの調整及び位置決め構造。
【請求項２】
前記後傾き調整ユニットに含む前記背もたれの弾性力を制御する前記バネの可動範囲に組み立てられる前記遮蔽組付体は、内嵌体と、外嵌体とを含んで構成され、前記内嵌体の一端には、１節の内向き凹折周縁が形成されて、前記背もたれ枠の対応部位の凸設部分への切り込みを容易にし、及び前記外嵌体の対向一端にも、１節の内向き凹折周縁が形成されて、前記座枠の一側に押当てる前記支承体の凹設区域への切り込みと合わせることで、前記内嵌体、前記外嵌体と、前記バネの可動範囲とは、外部と区切られる遮蔽状態を保持することを特徴とする、請求項１に記載の座椅子の背もたれの調整及び位置決め構造。
【請求項３】
前記後傾き調整ユニットに含む前記背もたれの弾性力を制御する前記バネの可動範囲に組み立てられる前記遮蔽組付体において、前記内嵌体の内側に位置する所定の部分から少なくとも１つの凸部が延在しており、前記操作ノブの一端から延在している前記ボルト段の後側部分と結合する前記拘止体を内外変位するように前記少なくとも１つの凸部の間に制限され、平穏に内に移動させ／または外に押し出すように作動させて保持することを特徴とする、請求項１または請求項２に記載の座椅子の背もたれの調整及び位置決め構造。
【請求項４】
前記後傾き調整ユニットに含む前記操作ノブの一端から延在している前記ボルト段が、前記第２ナットと結合する前記拘止体に案内される場合において、突出延在する前記ボルト段の内向端面に、前記拘止体を内に移動させる時の方位極限とする規制部が螺入されることを特徴とする、請求項１に記載の座椅子の背もたれの調整及び位置決め構造。
【請求項５】
前記後傾き調整ユニットに含む前記遮蔽組付体は、それに含む前記内嵌体と前記外嵌体との間での先導応用の設置を許容し、即ち、前記内嵌体の一端の外向両側から１節の凸部が延在しており、前記外嵌体の対応内側面での凹入空間への案内と合わせて、前記バネの可動範囲と常に平穏な遮蔽を保持することを容易にすることを特徴とする、請求項１または請求項２に記載の座椅子の背もたれの調整及び位置決め構造。
【請求項６】
座椅子の背もたれの調整及び位置決め構造であって、
座椅子の一側に組み立てられる背もたれに対して行われる座クッション部との方位結合としては、前記座椅子の座枠と背もたれ枠との境界部分に沿って各別に対応する支持部の延出を許容するものが採用されており、前記座枠と前記背もたれ枠との相連結部位の前記支持部は、孔への貫通を許容し、１節のパイプ段にバネが装入された後、前記バネの両側に沿って各別に突当てる頂部係止段と合わせて、及び２つの前記頂部係止段の外向の１節のロッド段は、前記座枠と前記背もたれ枠との相連結部位の前記支持部に形成される孔に沿って引き出されることで、前記背もたれ枠と前記座枠との間で方位結合を行う際の組み立て／または取り外しは、適切な弾性対抗性を持つ２つの前記頂部係止段を外に留め付け／または内に縮退移動させることにより、迅速な位置決め／または取り下ろしが達成されることを特徴とする、座椅子の背もたれの調整及び位置決め構造。
【発明の詳細な説明】
【技術分野】
【０００１】
本発明は、座椅子の背もたれの調整及び位置決め構造に係り、主に、座椅子の一側に組み立てられる背もたれに対して行われる傾斜度が後傾状の快適な応用／または適宜な弾性を保持しながら、一定の緊締度を呈する状態で、前記両者の間の調整ユニットの一端に組み立てられる操作ノブを所定の方向に捻転することにより、その間のバネを、所定の状態の対抗間隔を受けて外に移動させ／または内に縮退させるように促し、簡便な操作で所期の弛緩／または緊締度を得るように応用することができる。
【背景技術】
【０００２】
現在、休憩時に座るために用いられる座椅子は、快適な設置を得るために、業者はみんな関連部位に可動の調整を設けることで、異なる使用者の身長に応じて適宜な方位調節（例えば、座椅子の高さ、肘掛けの高さまたは前後もしくは内外変位、背もたれの傾斜度もしくは前後変位など）を容易にし、座椅子の応用時に適時に柔軟性のある部材を得て調整することができる。ここで、座椅子の背もたれについて、使用時、座るに要する適宜な緩緊度に基づいて後傾状になるように部材を調整し、平時、完全の後傾状になる必要がない場合、背もたれには、比較的な緊締度の設置を行い、または使用者が後傾して休憩する必要がある場合（例えば、暫時に横になって睡眠を取ること）では、背もたれには、比較的な弛緩の設置を行うことを容易にすることができる。
【０００３】
上記のように、背もたれに対して行われる比較的な弛緩／または比較的な緊締度の調整が応用される組合体の形態が相当に多く、ここでの掲載は、関連業者が提出して公開になった特許文献１の「座椅子の調整器の構造改良」の実用新案において、前記調整の組合体には、座椅子部の下方と合わせる支承板が位置する相隣接側に基台が結合され、前記基台の所定の部位に、ガスシリンダーが上向きに突出延在するロッド段に案内されることを許容して方位規制が構成され、及び基台の他の所定の部位に、下向きにバネセットの結合と合わせて、前記座椅子部は常に適切かつ快適な弾性を保っており、基台と並列する側に係止ロッドが貫通しており、座椅子部が比較的な弛緩な後傾きを呈する必要がある時に、係止ロッドを内向きに押入することを容易にし、規制を受けない状態を変更すれば、比較的に弛緩傾斜な所定の設置を得ることができる。一方、これと反対の作動とは、座椅子部が不可動になり、傾斜度の応用ができなくなることを示す。
【０００４】
このような座椅子部の傾斜度の調整設置として、応用面では、所期の比較的な弛緩／または一定の緊締度を呈する状態を得ることができるが、一定期間にわたる応用に起因するバネの弾性疲労が非常に発生しやすくなり、本来の好ましい弾性力が喪失してしまう。
【先行技術文献】
【特許文献】
【０００５】
【特許文献１】台湾実用新案第２９６５８０号明細書
【発明の概要】
【発明が解決しようとする課題】
【０００６】
本発明者は、このような座椅子の間の背もたれ部には、比較的な弛緩／または比較的な緊締度の調整を行う必要がある組合体に存在する弾性力の問題について更なる改善を図るために、前記座椅子の一側に組み立てられる背もたれに対して行われる傾斜度が後傾状の快適な応用／または適宜な弾性を保持しながら、一定の緊締度を呈する状態で、前記両者の間の調整ユニットの一端に組み立てられる操作ノブを所定の方向に捻転することにより、その間のバネを、所定の状態の対抗間隔を受けて外に移動させ／または内に縮退させるように促し、簡便な操作で所期の弛緩／または緊締度を得るように応用することができる構造に想到した。
【０００７】
本発明は、座椅子の一側に組み立てられる背もたれは、比較的な弛緩／または比較的な緊締度への応用を行う際には、かなり制限を受けることになり、発生しやすい弾性疲労による本来の弾力の喪失に対する更なる改善に基づいて、座椅子の座枠と背もたれ枠との境界部分に組み立てられる後傾き調整ユニットが採用されており、前記後傾き調整ユニットは、操作ノブの所定の方向への捻転により、一端が内向きに延在しているボルト段の後側部分と結合する拘止体を内に移動させ／または外に押し出すように促し、拘止体と支承体との間に嵌合するバネを、所定の対抗間隔を得て圧縮／または外拡させるように制御し、背もたれには、必要の比較的な緊締状態／または比較的な弛緩状態を有する設置が応用されるものである。
【課題を解決するための手段】
【０００８】
本発明の第１の主な目的は、座椅子の一側に組み立てられる背もたれに対して行われる比較的な弛緩／または比較的な緊締度の調整としては、座椅子の座枠と背もたれ枠との境界部分に沿って後傾き調整ユニットの組み立てを許容するものが採用されており、後傾き調整ユニットは、内向きにボルト段が延在している操作ノブと、背もたれの弾性力を制御するバネと、前記バネを内外変位可能に受承する拘止体と、座枠に向かう対応部分を突当てとしている支承体とを含んで構成され、その中、前記操作ノブの一端から延出するボルト段は、第１ワッシャに嵌挿した後、パイプ段が装着される背もたれ枠の支承部分の間に案内されることを許容すると共に、突出延在するボルト段は、第２ワッシャの嵌挿を受け入れ、及び第１ナットに螺入されることで、操作ノブを背もたれ枠の前記１節の支承部分に制限させ、また背もたれ枠の内側から突出延在する１節のボルト段は、第２ナットと結合する拘止体に案内され、前記拘止体は、前記操作ノブの捻転を受けてボルト段に沿って所定の内外変位を行い、拘止体に隣接する内向側面は、前記バネの載置を許容し、及びバネの他端は、座枠の一側に押当てる支承体の凹設区域での制限を許容し、及びバネの可動範囲に介在する範囲は、少なく１セット／またはそれ以上の遮蔽組付体の組み立てを許容し、背もたれの緩緊度の調整としては、手で後傾き調整ユニットの操作ノブを捻転することにより、所定の方向に回転させて、内向きに延在しているボルト段の後側部分と結合する拘止体を内に移動させ／または外に押し出すように促し、拘止体と支承体との間に嵌合するバネを、所定の対抗間隔を得て圧縮／または外拡させるように制御し、背もたれには、必要の比較的な緊締状態／または比較的な弛緩状態を有する設置が応用される、座椅子の背もたれの調整及び位置決め構造を提供することである。
【０００９】
本発明の第２の目的は、後傾き調整ユニットに含む背もたれの弾性力を制御するバネの可動範囲に組み立てられる前記遮蔽組付体は、内嵌体と、外嵌体とを含んで構成され、内嵌体の一端には、１節の内向き凹折周縁が形成されて、背もたれ枠の対応部位の凸設部分への切り込みを容易にし、及び外嵌体の対向一端にも、１節の内向き凹折周縁が形成されて、座枠の一側に押当てる前記支承体の凹設区域への切り込みと合わせることで、前記内、外嵌体と、バネの可動範囲とは、外部と区切られる遮蔽状態を保持することができる、座椅子の背もたれの調整及び位置決め構造を提供することである。
【００１０】
本発明の第３の目的は、後傾き調整ユニットに含む背もたれの弾性力を制御する前記バネの可動範囲に組み立てられる遮蔽組付体において、内嵌体の内側に位置する所定の部分から少なくとも１つの凸部が延在しており、操作ノブの一端から延在しているボルト段の後側部分と結合する拘止体を内外変位するように少なくとも１つの凸部の間に制限され、平穏に内に移動させ／または外に押し出すように作動させて保持することができる、座椅子の背もたれの調整及び位置決め構造を提供することである。
【００１１】
本発明の第４の目的は、後傾き調整ユニットに含む操作ノブの一端から延在している前記ボルト段が第２ナットと結合する拘止体に案内される場合において、突出延在するボルト段の内向端面に、前記拘止体を内に移動させる時の方位極限とする規制部が螺入される、座椅子の背もたれの調整及び位置決め構造を提供することである。
【００１２】
本発明の第５の目的は、後傾き調整ユニットに含む遮蔽組付体は、それに含む内嵌体と外嵌体との間での先導応用の設置を許容し、即ち、内嵌体の一端の外向両側から１節の凸部が延在しており、外嵌体の対応内側面での凹入空間への案内と合わせて、バネの可動範囲と常に平穏な遮蔽を保持することを容易にする、座椅子の背もたれの調整及び位置決め構造を提供することである。
【００１３】
本発明の第６の目的は、座椅子の一側に組み立てられる背もたれに対して行われる座クッション部との方位結合としては、座椅子の座枠と背もたれ枠との境界部分に沿って各別に対応する支持部の延出を許容するものが採用されており、前記座枠と背もたれ枠との相連結部位の支持部は、孔への貫通を許容し、１節のパイプ段にバネが装入された後、前記バネの両側に沿って各別に突当てる頂部係止段と合わせて、及び２つの頂部係止段の外向の１節のロッド段は、座枠と背もたれ枠との相連結部位の支持部に形成される孔に沿って引き出されることで、背もたれ枠と座枠との間で方位結合を行う際の組み立て／または取り外しは、適切な弾性対抗性を持つ２つの頂部係止段を外に留め付け／または内に縮退移動させることにより、迅速な位置決め／または取り下ろしが達成される、座椅子の背もたれの調整及び位置決め構造を提供することである。
【図面の簡単な説明】
【００１４】
【図１】本発明の座椅子の背もたれの調整及び位置決め構造を構成する関連部材を示す分解図である。
【図２】本発明の座椅子の背もたれの調整及び位置決め構造の組み立て完了を示す底面斜視図である。
【図３】本発明の座椅子の背もたれの調整及び位置決め構造の組み立て完了を示す側面概略図である。
【図４】図３のＡ−Ａ線を示す断面図である。
【図４−１】背もたれ枠が位置決め状態になる場合を示す前面断面図である。
【図４−２】背もたれ枠が離脱状態になる場合を示す前面断面図である。
【図５】本発明の座椅子の背もたれの調整及び位置決め構造の組み立て完了を示す底面概略図である。
【図６】図５のＢ−Ｂ線を示す断面図である。
【図６−１】図６の一部の拡大詳細図である。
【図６−２】図６−１の背もたれを後倒して比較的に弛緩された状態を示す断面図である。
【図６−３】図６−１の背もたれを後倒して比較的に緊締された状態を示す断面図である。
【発明を実施するための形態】
【００１５】
本発明が設計する座椅子の背もたれの調整及び位置決め構造（図２参照）は、座椅子１０の一側に組み立てられる背もたれ２０に対して行われる比較的な弛緩／または比較的な緊締度の調整としては、座椅子１０の座枠１と背もたれ枠２との境界部分に沿って後傾き調整ユニット７の組み立てを許容するものが採用されており（図１参照）、また後傾き調整ユニット７は、内向きにボルト段３１が延在している操作ノブ３と、背もたれ２０の弾性力を制御するバネ４と、前記バネ４を内外変位可能に受承する拘止体５と、座枠１に向かう対応部分を突当てとしている支承体６とを含んで構成される。
【００１６】
前記操作ノブ３の一端から延出するボルト段３１は、第１ワッシャ３２に嵌挿した後、パイプ段３３が装着される背もたれ枠２の１節の支承部分２１の間に案内されることを許容すると共に（図６、図６−１参照）、突出延在するボルト段３１は、第２ワッシャ３４の嵌挿を受け入れ、及び第１ナット３５に螺入されることで、操作ノブ３を背もたれ枠２の前記１節の支承部分２１に制限させ、また前記背もたれ枠２の内側から突出延在する１節のボルト段３１は、第２ナット５１と結合する拘止体５に案内され、前記拘止体５は、前記操作ノブ３の捻転を受けてボルト段３１に沿って所定の内外変位を行い、拘止体５に隣接する内向側面は、前記バネ４の載置を許容し、及びバネ４の他端は、座枠１の一側に押当てる支承体６の凹設区域での制限を許容し、及びバネ４の可動範囲に介在する範囲は、少なく１セット／またはそれ以上の遮蔽組付体４１の組み立てを許容する。
【００１７】
前記に続いて、後傾き調整ユニット７に含む背もたれ２０の弾性力を制御するバネ４の可動範囲に組み立てられる前記遮蔽組付体４１は、内嵌体４２と、外嵌体４３とを含んで構成され、内嵌体４２の一端には、１節の内向き凹折周縁４２１が形成されて、背もたれ枠２の対応部位の凸設部分２２への切り込みを容易にし（図６−１参照）、及び外嵌体４３の対向一端にも、１節の内向き凹折周縁４３１が形成されて、座枠１の一側に押当てる前記支承体６の凹設区域への切り込みと合わせることで、前記内、外嵌体４２，４３と、バネ４の可動範囲とは、外部と区切られる遮蔽状態を保持する。
【００１８】
なお、後傾き調整ユニット７に含む背もたれ２０の弾性力を制御する前記バネ４の可動範囲に組み立てられる遮蔽組付体４１において、内嵌体４２の内側に位置する所定の部分から少なくとも１つの凸部４２２が延在しており（図６−２）、操作ノブ３の一端から延在している前記ボルト段３１の後側部分と結合する拘止体５を内外変位するように少なくとも１つの凸部４２２の間に制限され、平穏に内に移動させ／または外に押し出すように作動させて保持すると同時に、後傾き調整ユニット７に含む操作ノブ３の一端から延在している前記ボルト段３１が、第２ナット５１と結合する拘止体５に案内される場合において、突出延在するボルト段３１の内向端面に、前記拘止体５を内に移動させる時の方位極限とする規制部３６が螺入される（図６−３参照）。
【００１９】
また、後傾き調整ユニット７に含む遮蔽組付体４１は、それに含む内嵌体４２と外嵌体４３との間での先導応用の設置を許容し、即ち、内嵌体４２の一端の外向両側から１節の凸部４２３が延在しており、外嵌体４３の対応内側面での凹入空間４３２への案内と合わせて、バネ４の可動範囲と常に平穏な遮蔽を保持することを容易にする。
【００２０】
また、座椅子１０の一側に組み立てられる背もたれ２０に対して行われる座クッション部との方位結合としては（図２、図３参照）、座椅子１０の座枠１と背もたれ枠２との境界部分に沿って各別に対応する支持部１１，２３の延出を許容するものが採用されており（図１、図４参照）、前記座枠１と背もたれ枠２との相連結部位の支持部１１，２３は、孔１１１，２３１への貫通を許容し（図４−１参照）、１節のパイプ段８１にバネ８２が装入された後、前記バネ８２の両側に沿って各別に突当てる頂部係止段８３と合わせて、及び２つの頂部係止段８３の外向の１節のロッド段は、座枠１と背もたれ枠２との相連結部位の支持部１１，２３に形成される孔１１１，２３１に沿って引き出されることで、背もたれ枠２と座枠１との間で方位結合を行う際の組み立て／または取り外しは、適切な弾性対抗性を持つ２つの頂部係止段８３を外に留め付け（図４−１参照）／または内に縮退移動させることにより（図４−２参照）、迅速な位置決め／または取り下ろしが達成される。
【００２１】
座椅子１０の座枠１と背もたれ枠２との間に組み立てられる上記の後傾き調整ユニット７は、背もたれ２０の緩緊度の調節として実施されるものであり（図２、図３、図５参照）、手で後傾き調整ユニット７の操作ノブ３を捻転することにより、所定の方向に回転させて（図６−２参照）、内向きに延在しているボルト段３１の後側部分と結合する拘止体５を内に移動させ（図６−３参照）／または外に押し出すように促し（図６−２参照）、拘止体５と支承体６との間に嵌合するバネ４を、所定の対抗間隔を得て圧縮／または外拡させるように制御し、背もたれ２０には、必要の比較的な緊締状態／または比較的な弛緩状態を有する設置が応用される。
【符号の説明】
【００２２】
〔本発明〕
１０                    座椅子
２０                    背もたれ
１                      座枠
１１，２３              支持部
１１１，２３１          孔
２                      背もたれ枠
２１                    支承部分
２２                    凸設部分
３                      操作ノブ
３１                    ボルト段
３２                    第１ワッシャ
３３，８１              パイプ段
３４                    第２ワッシャ
３５                    第１ナット
３６                    規制部
４，８２                バネ
４１                    遮蔽組付体
４２                    内嵌体
４２１，４３１          内向き凹折周縁
４２２，４２３          凸部
４３                    外嵌体
４３２                  凹入空間
５                      拘止体
５１                    第２ナット
６                      支承体
７                      後傾き調整ユニット
８３                    頂部係止段
【図１】
2017176797.tif 000003
【図２】
2017176797.tif 000004
【図３】
2017176797.tif 000005
【図４】
2017176797.tif 000006
【図４−１】
2017176797.tif 000007
【図４−２】
2017176797.tif 000008
【図５】
2017176797.tif 000009
【図６】
2017176797.tif 000010
【図６−１】
2017176797.tif 000011
【図６−２】
2017176797.tif 000012
【図６−３】
2017176797.tif 000013